(57)【要約】      （修正有）【課題】コロナ禍であっても結婚式・結婚披露宴に参加する参加者全員が安全安心して祝い、歓談できるツールとしてのエチケットカードを提供する。【解決手段】エチケットカード１は、表裏面のうちいずれかの一面に、ハート形グラフ図形部２と空きスペース３を有する。招待者が結婚式・結婚披露宴当日までの毎日の体温変化を折れ線グラフにすることが可能な、幅広線でハート形に作図されたハート形グラフ図形部２は、ハート形状を形づくる幅広の曲線帯の略１周分の長さを体温測定期間に該当する日数分で略等分割したときの長さで間隔を空けて１目盛を設定した曲線帯を、目盛を体温測定日とする横軸４とし、幅広の曲線帯の短手方向である横断線を横軸４の目盛である測定日ごとに全測定日数分ほど設け、かつ所定の体温域に含まれる複数の所定の体温を等間隔で表示した横断線を、目盛を体温とする縦軸５とする。ハート形グラフ図形部２の内側に、招待者からの祝辞を記載可能な、ハート形状の空きスペース３が表示される。【選択図】図２
0003229729.tif 000002
【実用新案登録請求の範囲】
【請求項１】
結婚式・結婚披露宴に招待する招待者への招待状セットの中に同封し、結婚式・結婚披露宴当日に結婚するカップルに渡すエチケットカードであって、
前記エチケットカードの表裏面のうちのいずれかの一面に、招待者が所定の日数前から結婚式・結婚披露宴当日までの毎日の体温変化を折れ線グラフにすることが可能な、幅広の曲線帯でハート形状を表したハート形グラフ図形部と、招待者からの祝辞を記載可能な、前記ハート形グラフ図形部の内側に設けたハート形状の空きスペースとが表示され、
前記ハート形グラフ図形部は、
ハート形状を形づくる幅広の曲線帯の略1周分の長さを体温測定期間に該当する日数分で略等分割したときの長さで設定した１目盛を体温測定日の１日とする幅広の曲線帯を横軸とし、
前記幅広の曲線帯の短手方向である横断線を前記横軸の目盛である測定日ごとに全測定日数分ほど設け、かつ所定の体温域に含まれる複数の所定の体温を等間隔で表示した前記横断線を、目盛を体温とする縦軸として、
前記縦軸であるすべての横断線の体温の同一目盛同士を前記幅広の曲線帯の外周縁線のハート形状と相似形の形となるように線で結んで前記幅広の曲線帯内に、複数の相似形のハート形状からなる複数の体温目盛線を形成しており、
招待者が所定の日数前から毎日測定した体温を横軸で該当する日付の横断線の縦軸で該当する体温の箇所にプロットをして、すべての前記プロットを線でむすんで略ハート図形の作図を可能とすることを特徴とするエチケットカード。
【考案の詳細な説明】
【技術分野】
【０００１】
本考案は、結婚式・結婚披露宴に招待する招待者に郵送する招待状セットに同封するエチケットカードに関する。
【背景技術】
【０００２】
特許文献１には、慶事が行われることを招待予定者に通知する慶事用招待状において、ほぼ短冊形状で慶事情報が記載された複数の招待状本体を重ね合わせると共に、長手方向上部側を紐状体により結んでなる慶事用招待状が開示されている。
【０００３】
特許文献２には、結婚式又は結婚披露宴における、当事者氏名を印刷した氏名印刷部と、開催日時を印刷した開催日時印刷部と、開催場所を印刷した開催場所印刷部と、を少なくとも備える招待 案内状と、前記招待案内状に対する返信用葉書と、前記招待案内状及び返信用葉書を封入する封筒と、から少なくとも構成され、前記招待案内状、前記返信用葉書、又は前記封筒のいずれか１つ以上に、特定のＷｅｂサイトにリンクするＵＲＬと関連付けられた二値以上の２次元コード及び／又は識別符号が印刷されたＵＲＬリンク印刷部を備える招待状が開示されている。
【先行技術文献】
【特許文献】
【０００４】
【特許文献１】実用新案登録第３１０５７２９号公報
【特許文献２】実用新案登録第３１２１１５９号公報
【考案の概要】
【考案が解決しようとする課題】
【０００５】
特許文献１の考案は、和風のしおり形招待状を受け取った招待者が興味を引くかもしれないが、昨今のコロナ禍の中で、特に結婚披露宴では飲食したり話をしたりして祝うときに３蜜になる可能性があることから、参加をためらう人がでる懸念があり、たとえ参加しても顔を近づけて歓談することから感染の心配が頭から離れないという問題があった。
【０００６】
特許文献２の考案は、結婚式又は結婚披露宴に招待する当事者の挨拶等が動画配信されるので当事者をよく知ることはできるが、昨今のコロナ禍の中で、特に結婚披露宴では飲食したり話をしたりして祝うときに３蜜になる可能性があることから、参加をためらう人がでる懸念があり、たとえ参加しても顔を近づけて歓談することから感染の心配が頭から離れないという問題があった。
【０００７】
本考案はこうした問題に鑑み創案されたもので、結婚式・結婚披露宴に参加する招待者自身がコロナ等の感染症にかかっていないことを自ら証明することができ、参加者全員が安全安心して祝い歓談できるツールとしてのエチケットカードを提供することを課題とする。
【課題を解決するための手段】
【０００８】
請求項１に記載のエチケットカードは、結婚式・結婚披露宴に招待する招待者への招待状セットの中に同封し、結婚式・結婚披露宴当日に結婚するカップルに渡すエチケットカードであって、前記エチケットカードの表裏面のうちのいずれかの一面に、招待者が所定の日数前から結婚式・結婚披露宴当日までの毎日の体温変化を折れ線グラフにすることが可能な、幅広の曲線帯でハート形状を表したハート形グラフ図形部と、招待者からの祝辞を記載可能な、前記ハート形グラフ図形部の内側に設けたハート形状の空きスペースとが表示され、前記ハート形グラフ図形部は、ハート形状を形づくる幅広の曲線帯の略1周分の長さを体温測定期間に該当する日数分で略等分割したときの長さで設定した１目盛を体温測定日の１日とする幅広の曲線帯を横軸とし、前記幅広の曲線帯の短手方向である横断線を前記横軸の目盛である測定日ごとに全測定日数分ほど設け、かつ所定の体温域に含まれる複数の所定の体温を等間隔で表示した前記横断線を、目盛を体温とする縦軸として、前記縦軸であるすべての横断線の体温の同一目盛同士を前記幅広の曲線帯の外周縁線のハート形状と相似形の形となるように線で結んで前記幅広の曲線帯内に、複数の相似形のハート形状からなる複数の体温目盛線を形成しており、招待者が所定の日数前から毎日測定した体温を横軸で該当する日付の横断線の縦軸で該当する体温の箇所にプロットをして、すべての前記プロットを線でむすんで略ハート図形の作図を可能とすることを特徴とする。
【考案の効果】
【０００９】
本考案のエチケットカードは、招待される招待者にも細心の注意を促し結婚式・結婚披露宴当日を迎えていただくことができるという効果を奏する。そして、結婚式・結婚披露宴当日には、参加者全員が安心して結婚するカップルを祝い、飲食や歓談ができるという効果を奏する。
【００１０】
また、結婚披露宴では結婚されるカップルへの祝福メッセージとして演出させることができ、結婚披露宴会場でボードに貼って利用することもできるので、結婚披露宴された全員に、参加者全員がコロナ対策に細心の注意を払って参加されているという安心感を持たせ、参加者のお祝いメッセージを読むことで祝福するお祝いムードを高揚させるという効果を奏する。
【００１１】
さらに、エチケットカードを結婚されたカップルが持ち帰ることができ、カップルにとって記念として保存することができるので、カップルが将来において招待者の細心の気配りとお祝いの心を思い出すことができる。
【図面の簡単な説明】
【００１２】
【図１】本考案のエチケットカードのハート形グラフ図形部の説明図である。
【図２】本考案のエチケットカードのハート形グラフ図形部の使用例の説明図である。
【図３】本考案のエチケットカードのハート形グラフ図形部を表示した一面の反対側の他面の説明図である。
【考案を実施するための形態】
【００１３】
本考案のエチケットカードは、昨今のコロナ禍において、結婚式・結婚披露宴の招待者が安全安心して、結婚するカップルを祝い、飲食し歓談できるように、招待者全員が各自で細心の注意を払ってもらうことを促すエチケットカードである。
【００１４】
本考案のエチケットカード１は、結婚式・結婚披露宴に招待する招待者への招待状セットの中に同封し、結婚式・結婚披露宴当日に結婚するカップルに渡すエチケットカード１であって、前記エチケットカード１の表裏面のうちのいずれかの一面に、招待者が所定の日数前から結婚式・結婚披露宴当日までの毎日の体温変化を折れ線グラフにすることが可能な、幅広の曲線帯でハート形状を表したハート形グラフ図形部２と、招待者からの祝辞を記載可能な、前記ハート形グラフ図形部２の内側に設けたハート形状の空きスペース３とが表示され、前記ハート形グラフ図形部２は、ハート形状を形づくる幅広の曲線帯の略1周分の長さを体温測定期間に該当する日数分で略等分割したときの長さで設定した１目盛を体温測定日の１日とする幅広の曲線帯を横軸４とし、前記幅広の曲線帯の短手方向である横断線を前記横軸４の目盛である測定日ごとに全測定日数分ほど設け、かつ所定の体温域に含まれる複数の所定の体温を等間隔で表示した前記横断線を、目盛を体温とする縦軸５として、前記縦軸５であるすべての横断線の体温の同一目盛同士を前記幅広の曲線帯の外周縁線のハート形状と相似形の形となるように線で結んで前記幅広の曲線帯内に、複数の相似形のハート形状からなる複数の体温目盛線７を形成しており、招待者が所定の日数前から毎日測定した体温を横軸４で該当する日付の横断線の縦軸５で該当する体温の箇所にプロットをして、すべての前記プロットを線でむすんで略ハート図形８の作図を可能とするエチケットカードである。
【００１５】
本考案のエチケットカード１は、結婚式・結婚披露宴に招待する招待者への招待状セットの中に同封して招待者に郵送し、招待者に記入してもらって結婚式・結婚披露宴当日に結婚するカップルに渡すものである。
【００１６】
前記エチケットカード１は、図１に示すような前記ハート形グラフ図形部２が表示された１面と、図３に示すような結婚するカップルから招待者への思いを記載した一面とが表裏一体であり、真ん中の折り曲げ線６で２つ折り可能になっている。前記ハート形グラフ図形部２が表示された１面を前記エチケットカード１の表裏面のいずれにしてもよい。
【００１７】
前記ハート形グラフ図形部２が表示された１面は、図１に示すように、招待者が所定の日数前から結婚式・結婚披露宴当日までの毎日の体温変化を折れ線グラフにすることが可能な、幅広の曲線帯でハート形に作図されたハート形グラフ図形部２と、招待者からの祝辞を記載可能な、前記ハート形グラフ図形部２の内側に設けたハート形の空きスペース３とが表示されている。
【００１８】
前記空きスペース３は外郭形状がハート形状をしており、前記空きスペース３には、図１に示すように、招待者名と、結婚するカップル名と、お祝いのひとこと記載欄が設けられている。
【００１９】
前記ハート形グラフ図形部２は、図１に示すように、招待者が所定の日数前から、例えば１４日前から結婚式・結婚披露宴当日までの毎日の体温をプロットし線でむすんで折れ線グラフにすることが可能な、幅広の曲線帯でハート形状に作図されたハート形グラフである。
【００２０】
前記ハート形グラフ図形部２は、ハート形状を形づくる幅広の曲線帯の略1周分の長さを体温測定期間に該当する日数分で略等分割したときの長さで設定した１目盛を体温測定日の１日とする幅広の曲線帯を横軸４とする。よって、図１に示すように、ハート形状を形づくる幅広の曲線帯の略1周分を、例えば１４日分を略等分割して日付の目盛を設定する。なお、前記体温測定期間は１４日に限定されず、招待者に体温を測定してもらいたい日数で任意に設定することができる。
【００２１】
また、前記幅広の曲線帯の短手方向である横断線を前記横軸４の目盛である測定日ごとに全測定日数分ほど設け、かつ所定の体温域に含まれる複数の所定の体温を等間隔で表示した前記横断線を、目盛を体温とする縦軸５とする。
【００２２】
図１に示すように、前記縦軸５は全測定日数分ほど設けられており、それぞれの縦軸５には所定の体温域、例えば体温３５℃〜３９℃に含まれる複数の所定の体温、例えば３５℃、３６℃、３７℃、３８℃及び３９℃が等間隔で表示されている。なお、所定の体温域及び複数の所定の体温として、図１に示した体温情報は１例を示したものであり、いずれも任意に設定できる。
【００２３】
また、前記縦軸５である横断線すべての体温の同一目盛同士を前記幅広の曲線帯の外周縁線のハート形状と相似形の形となるように線で結んで前記幅広の曲線帯内に、複数の相似形のハート形状からなる複数の体温目盛線７を、例えば図１に示すように３５℃、３６℃、３７℃、３８℃及び３９℃の５つの体温目盛線７を形成する。
【００２４】
したがって、前記ハート形グラフ図形部２は、目盛を日付とした、ハート形状の曲線状の横軸と、目盛を体温とした縦軸とからつくられた、折れ線グラフを作成可能なハート形状のグラフ図形である。
【００２５】
次に、招待状セットを受け取った招待者は、図２に示すように、所定の日数前から、例えば１４日前をスタートとして毎日測定した体温を横軸で該当する日付の横断線の縦軸で該当する体温の箇所にプロットをして、すべての前記プロットを線でむすんで略ハート図形８の作図をつくることができる。
【００２６】
前記体温が記録されたエチケットカード１を結婚式・結婚披露宴に持参することにより、たとえコロナ禍という環境にあっても、参加者全員が安全安心して、結婚するカップルを祝し、歓談し飲食することができる。
【００２７】
また、本考案のエチケットカード１は、縦軸・横軸を備えた幅広の曲線帯で作図したハート型グラフ図形部２を、例えば、縦軸・横軸を備えた幅広の曲線帯、及び／又は、縦軸・横軸を備えた幅広の直線帯で作図した円形型、野球ボール型、乗り物型又は動物型等の任意のグラフ図形に変えることもでき、前記空きスペースにはお祝いのひとことに変えて、目標、願い又は決意などを任意に記載することもできる。したがって、例えば、子供のスポーツ大会やクラブ活動で健康管理やモチベーション高揚のために使用することもできる。
【符号の説明】
【００２８】
１        エチケットカード
２        ハート形グラフ図形部
３        空きスペース
４        横軸
５        縦軸
６        折り曲げ線
７        体温目盛線
８        略ハート図形
【図１】
0003229729.tif 000003
【図２】
0003229729.tif 000004
【図３】
0003229729.tif 000005